(57)【特許請求の範囲】
【請求項１】
地下物性探査システムにおいて、
探査しようとする地域に対して予め定められた特定地点の地面に設けられて電磁波パルス信号を放射する少なくとも一つの送信アンテナを含んでなる送信アンテナ部；
前記送信アンテナ部の放射信号により形成される電場および磁場信号をそれぞれ測定するための少なくとも一対の電場信号受信アンテナおよび磁場信号受信アンテナを含んでなる受信アンテナ部；
前記送信アンテナ部と前記受信アンテナ部を通して収集された信号に基づいて地下媒質の物性に対する分析を遂行する分析部；および
前記探査システムの全体的な動作を制御する制御部を含んで構成され、
前記電場信号受信センサと前記磁場信号受信センサを並行して運用し、
前記送信アンテナを地面に設け、前記送信アンテナで放射する電磁波信号により形成される電場と磁場をそれぞれ別途の前記電場信号受信アンテナと前記磁場信号受信アンテナを通して同一の地点で受信し、
理論モデリングにより得られた単一送信源（ｓｏｕｒｃｅ）による電場
0006567162.tif 000068
と磁場
0006567162.tif 000069
をそれぞれ以下の数式で示すとき、
0006567162.tif 000070
（ここで、
0006567162.tif 000071
は、理論モデリングでの単一電磁波送信源、
0006567162.tif 000072
は、理論モデリングでの地下物性特性を示すインパルス応答（Ｉｍｐｕｌｓｅ  ｒｅｓｐｏｎｓｅ）、
0006567162.tif 000073
は、理論モデリングでの電場信号受信アンテナの受信関数、
0006567162.tif 000074
は、理論モデリングでの磁場信号受信アンテナの受信関数を示す。）
前記数式を周波数領域にフーリエ変換（Ｆｏｕｒｉｅｒ  ｔｒａｎｓｆｏｒｍ）して以下の数式に変換し、
0006567162.tif 000075
以下の数式を利用して前記電場と前記磁場の比を求める処理が遂行されるように構成されることで、
0006567162.tif 000076
応答信号
0006567162.tif 000077
で送信信号
0006567162.tif 000078
が消去されることを特徴とする、地下物性探査システム。
【請求項２】
前記送信アンテナ部の前記送信アンテナは、
超広帯域電磁波パルスを放射できるアンテナであれば、いかなるアンテナでも使用可能であることを特徴とする、請求項１に記載の地下物性探査システム。
【請求項３】
前記受信アンテナ部の前記電場信号受信アンテナは、
給電点を基準に２個の伝導性放射体が並んで設けられ、超広帯域パルス信号を受信できる双極子アンテナの形態に構成されることを特徴とする、請求項１に記載の地下物性探査システム。
【請求項４】
前記受信アンテナ部の前記磁場信号受信アンテナは、
単一伝導性放射体が巻かれた形態に設けられ、超広帯域パルス信号を受信できるループアンテナの形態に構成されることを特徴とする、請求項１に記載の地下物性探査システム。
【請求項５】
前記地下物性探査システムは、
空気媒質で単一送信アンテナの放射による電場信号および磁場信号をそれぞれの受信アンテナを通して前記送信アンテナと離れた同一の地点でそれぞれ測定し
0006567162.tif 000079
、空気中で電場と磁場の大きさの比率
0006567162.tif 000080
が固有インピーダンス（Ｉｎｔｒｉｎｓｉｃ  ｉｍｐｅｄａｎｃｅ）
0006567162.tif 000081
と定義されるとき、
以下の数式を利用して、前記固有インピーダンスに基づいて前記受信アンテナ部のそれぞれのアンテナに受信された前記電場信号および前記磁場信号の比率を補正する補正関数（ｃａｌｉｂｒａｔｉｏｎ  ｆｕｎｃｔｉｏｎ；
0006567162.tif 000082
）を求める処理が遂行されるように構成されることで、
前記送信アンテナ部および前記受信アンテナ部のそれぞれのアンテナが真空または空気中で用いられ、前記電場信号および前記磁場信号が得られた時の比率が周波数に関係なく一定の特性を有するように構成されることを特徴とする、請求項１に記載の地下物性探査システム。
0006567162.tif 000083
（ここで、
0006567162.tif 000084
および
0006567162.tif 000085
は、それぞれ測定により得られた磁場信号受信機および電場信号受信機の受信関数を示す。）
【請求項６】
前記地下物性探査システムは、
空気ではなく他の媒質に対しても同様の方法で前記補正関数を求める処理が遂行されるように構成されることで、
互いに異なる２種類以上の媒質に対する場合でも、前記補正関数を複合的に利用できるように構成されることを特徴とする、請求項５に記載の地下物性探査システム。
【請求項７】
前記地下物性探査システムは、
空気中ではなく地面上に前記送信アンテナを位置させ、前記送信アンテナにより放射される電場信号および磁場信号を前記送信アンテナとは異なる地点の地面上の同一地点に位置したそれぞれの前記電場信号および前記磁場信号受信アンテナを通してそれぞれ測定する処理が遂行されるように構成される、ことを特徴とする、請求項６に記載の地下物性探査システム。
【請求項８】
前記地下物性探査システムは、
前記地面上に前記送信アンテナを設けて前記電場信号および磁場信号を測定時、それぞれの前記受信アンテナの特性が前記補正関数
0006567162.tif 000086
により補償されると、前記測定による受信機関数の比
0006567162.tif 000087
が消去されることにより、
以下の数式を利用して、前記測定による地下媒質の物性を求める処理が遂行されるように構成されることを特徴とする、請求項７に記載の地下物性探査システム。
0006567162.tif 000088
（ここで、
0006567162.tif 000089
は、測定により得られた地下媒質の物性システムを示す。）
【請求項９】
地下物性分析方法において、
請求項１乃至８のいずれか一項に記載の地下物性探査システムを用いて地下物性を測定して分析するように構成される、地下物性分析方法。
【発明の詳細な説明】
【技術分野】
【０００１】
本発明は、地下レーダー探査の原理を利用して地下の物性を分析するための装置および方法に関し、さらに詳細には、電場信号を送受信するダイポール形態のセンサが主に用いられ、磁場信号を送受信するループ、コイル形態のセンサは排除されることで電場反射波を用いた地下映像だけが獲得可能であり、磁場反射波を用いた地下映像は獲得することができなかった従来の技術の地下探査レーダーまたは地盤透過レーダー（Ｇｒｏｕｎｄ−ｐｅｎｅｔｒａｔｉｎｇ  ｒａｄａｒ、ＧＰＲ）を用いたレーダー探査技法の問題点を解決できるように構成される地下物性探査システムおよびそれを用いた地下物性測定方法に関する。
【０００２】
また、本発明は、上述したように、電場信号だけを主に受信し、磁場信号受信は排除してきた従来の技術のＧＰＲ探査技法の問題点を解決するために、地面の特定地点に位置して電磁波パルス信号を放射する送信アンテナ、および上述の放射信号により形成される電場、および磁場信号をそれぞれ測定する受信アンテナ対を含み、電場信号受信センサと磁場信号受信センサを並行して運用することにより、電場だけでなく磁場の地下反応を同時に測定し、既存の電場反射波を用いた地下映像だけでなく、磁場反射波を用いた地下映像も獲得できるように構成されることで、既存に比べて地下の物性をさらに正確かつ効果的に糾明できるように構成される地下物性探査システムおよびそれを用いた地下物性分析方法に関する。
【背景技術】
【０００３】
従来、一般的に、地下の物性を探査して分析するための技術として、電磁波を送受信して地下の物性を探査するレーダー探査技法と、磁場を利用して地下の物性を探査する電磁誘導探査（Ｅｌｅｃｔｒｏｍａｇｎｅｔｉｃ（ＥＭ）  ｉｎｄｕｃｔｉｏｎ）技法が広く用いられている。
【０００４】
さらに詳細には、レーダー探査技法は、地下の物性を探査するために略１００ＭＨｚ〜１ＧＨｚの電場信号を送受信する方法であり、これに対して、電磁誘導探査（Ｅｌｅｃｔｒｏｍａｇｎｅｔｉｃ（ＥＭ）  ｉｎｄｕｃｔｉｏｎ）技法は、数ｋＨｚ以下の磁場信号を送受信して地下の物性を探査する方法である。
【０００５】
併せて、近年は、電場信号を送受信して地下の物性を探査する地下探査レーダーまたは地盤透過レーダー（Ｇｒｏｕｎｄ−ｐｅｎｅｔｒａｔｉｎｇ  ｒａｄａｒ、ＧＰＲ）を用いた、いわゆるＧＰＲ技法が広く用いられている。
【０００６】
ここで、上述したように、ＧＰＲを用いて地下探査を遂行するための装置および方法に関する従来の技術の例としては、例えば、先ず、大韓民国登録特許公報第１０−１２６７０１７号によれば、カート（ｃａｒｔ）上に積載されて移動性がよくなるので、作業者の疲労度を減らし、送受信シグナル（ｓｉｇｎａｌ）損失を最小化するために、カートの下側に指標と密着してアンテナが前、後に取り付けられることで電磁波が空気中に損失されないように構成されるＧＰＲ探査装備の信号処理による地下施設物探測システムが提示されている。
【０００７】
また、上述したように、ＧＰＲを用いて地下探査を遂行するための装置および方法に関する従来の技術の他の例としては、例えば、大韓民国登録特許公報第１０−１２６７０１６号によれば、超広帯域のパルスを利用してさらに正確な探測が可能であり、各モジュール別インターフェース、現場の探測および装備の移動が簡便になり、４ｋｍ／Ｄａｙの探測速度が可能であるように構成されることで、小型一体化を通して作業効率を向上させ、原価が大幅に節減できるように構成されるＧＰＲシステムを用いた地下施設物探測の信号解析装置が提示されている。
【０００８】
併せて、上述したように、ＧＰＲを用いて地下探査を遂行するための装置および方法に関する従来の技術のまた他の例としては、例えば、大韓民国登録特許公報第１０−１２４１３１３号によれば、低周波帯域パルス信号を生成して放射し、舗装道路の下部に形成された地下空洞から反射される応答信号を獲得する低周波レーダーモジュール、高周波帯域パルス信号を生成して放射し、舗装道路の中間層および基層の間と基層および土壌層の間に金属金網で構成された認識子から反射される応答信号を獲得する複数個の高周波レーダーモジュール、および低周波レーダーモジュールで獲得された信号と高周波レーダーモジュールで獲得された信号を表示する映像処理装置を含み、舗装道路の厚さと舗装道路の下に存在する地下空洞を同時に高速で探知できるように構成される地下探査レーダーを用いた舗装道路安全診断システムおよび方法が提示されている。
【０００９】
さらに、上述したように、ＧＰＲを用いて地下探査を遂行するための装置および方法に関する従来の技術のさらに他の例としては、例えば、大韓民国登録特許公報第１０−０３６５１４１号によれば、送信および受信アンテナを通して制御装置で発生したパルスを放射させて媒質を通過した後、埋設物体で反射されて戻る信号を受け入れるステップと、受信アンテナから伝送された信号を記録、格納して室内での資料処理のために必要なＰＣに資料を伝送し、制御装置で信号が記録される最初時間、アナログ（ａｎａｌｏｇ）信号である受信信号のデジタルサンプリング間隔、信号が記録される全体時間範囲、スタッキング（ｓｔａｃｋｉｎｇ）回数等、探査に必要な様々な変数を決定し、決定された変数に適した送受信パルスを発生させて増幅させた後、送信アンテナを通して放射し、サンプリング間隔およびトレース（ｔｒａｃｅ）当たりのサンプリング間隔および個数を決定するステップ、および制御装置で獲得したパルス資料を映像で具現させ、処理されたデータを対象に高解像度の画面を様々な具現色相を適用してより高い分解能の断面図を示すステップを含んで構成されるＧＰＲシステムを用いた地下埋設物探測工法が提示されている。
【００１０】
上述したように、従来、ＧＰＲを用いた地下探査装置および方法について様々な技術内容が提示されているが、上述したような従来の技術のＧＰＲを用いた探査装置および方法は、下記のような問題点があるものであった。
【００１１】
即ち、ＧＰＲのようにセンサが放射する構造では、軽くて簡単な形態の放射体であって周波数の変化によって放射パターンの差が少ないダイポール形態のアンテナがループ形態より使用するに有利であることで、従来、一般的に、ＧＰＲにおいては、電場信号を送受信するためにダイポール形態のセンサが主に用いられている。
【００１２】
これに対して、ＧＰＲより低い周波数帯域を使用する電磁誘導探査（ＥＭ  ｉｎｄｕｃｔｉｏｎ）においては、電磁誘導優勢領域（Ｉｎｄｕｃｔｉｏｎ  ｒａｎｇｅ）でセンサは波長に対比して非常に小さな構造であることで、ダイポール形態に比べてループ形態が相対的にインピーダンスを合わせるのに有利である理由から磁場信号を送受信するセンサとして、ループ、コイル形態のセンサが主に用いられてきた。
【００１３】
即ち、既存のＧＰＲ技法においては、上述したように、その特性上、ダイポールセンサを使用することが有利である理由によって電場反射波を用いた地下映像だけを主に獲得してきており、磁場反射波を用いた地下映像の獲得は、相対的に排除されてきた。
【００１４】
しかし、より正確かつ効果的に地下物性を探査して糾明するためには、電場信号による地下映像と、磁場信号による地下映像をいずれも獲得して総合的に分析することが好ましい。
【００１５】
従って、上述したように、電場信号だけが用いられ、磁場信号は排除されていた従来の技術のＧＰＲ探査技法の問題点を解決するためには、電場信号受信センサと磁場信号受信センサを並行して運用することにより、既存の電場反射波を用いた地下映像だけでなく、磁場反射波を用いた地下映像も獲得できるように構成される新たな構成の地下物性探査システムおよび方法を提供することが好ましいが、未だそのような要求を全て満たす装置や方法は提供できていない実情である。
【先行技術文献】
【特許文献】
【００１６】
【特許文献１】大韓民国登録特許公報第１０−１２６７０１７号（２０１３．０５．１６．）
【特許文献２】大韓民国登録特許公報第１０−１２６７０１６号（２０１３．０５．１６．）
【特許文献３】大韓民国登録特許公報第１０−１２４１３１３号（２０１３．０３．０４．）
【特許文献４】大韓民国登録特許公報第１０−０３６５１４１号（２００２．１２．０４．）
【発明の概要】
【発明が解決しようとする課題】
【００１７】
本発明は、上述したような従来の技術の問題点を解決しようとするものであり、従って、本発明の目的は、電場信号を送受信するダイポール形態のセンサが主に用いられ、磁場信号を送受信するループ、コイル形態のセンサは排除されることで、電場反射波を用いた地下映像を主に獲得し、磁場反射波を用いた地下映像の獲得は相対的に排除されてきた従来の技術のＧＰＲ（Ｇｒｏｕｎｄ−ｐｅｎｅｔｒａｔｉｎｇ  ｒａｄａｒ）探査技法の問題点を解決するために、電場信号受信センサと磁場信号受信センサを並行して運用することにより、既存の電場反射波を用いた地下映像だけでなく、磁場反射波を用いた地下映像も獲得できるように構成される地下物性探査システムおよびそれを用いた地下物性分析方法を提供しようとすることである。
【００１８】
また、本発明の他の目的は、上述したように、電場反射波を用いた地下映像を主に獲得し、磁場反射波を用いた地下映像の獲得は相対的に排除されてきた従来の技術のＧＰＲ探査技法の問題点を解決するために、地面の特定地点に位置して電磁波パルス信号を放射する送信アンテナ、および上述の放射信号により形成される電場、および磁場信号をそれぞれ測定する受信アンテナ対を含んで構成されることで、電場だけでなく磁場の地下反応を同時に測定することにより既存に比べて地下の物性をさらに正確かつ効果的に糾明できるように構成される地下物性探査システムおよびそれを用いた地下物性分析方法を提供しようとすることである。
【課題を解決するための手段】
【００１９】
上述したような目的を達成するために、本発明によれば、電場反射波を用いた地下映像を主に獲得し、磁場反射波を用いた地下映像の獲得は排除されてきた従来の技術の地下探査レーダー（Ｇｒｏｕｎｄ−ｐｅｎｅｔｒａｔｉｎｇ  ｒａｄａｒ、ＧＰＲ）技法の問題点を解決するための地下物性探査システムにおいて、探査しようとする地域に対して予め定められた特定地点の地面に設けられて電磁波パルス信号を放射する少なくとも一つの送信アンテナを含んでなる送信アンテナ部；前記送信アンテナ部の放射信号により形成される電場および磁場信号をそれぞれ測定するための少なくとも一対の電場信号受信アンテナおよび磁場信号受信アンテナを含んでなる受信アンテナ部；前記送信アンテナ部と前記受信アンテナ部を通して収集された信号に基づいて地下媒質の物性に対する分析を遂行する分析部；および、前記探査システムの全体的な動作を制御する制御部を含んで構成されることで、前記電場信号受信センサと前記磁場信号受信センサを並行して運用することにより、既存の電場反射波を用いた地下映像だけでなく、磁場反射波を用いた地下映像も獲得可能で前記地下媒質の物性をさらに正確かつ効果的に分析できるように構成されることを特徴とする地下物性探査システムが提供される。
【００２０】
ここで、前記送信アンテナ部の前記送信アンテナは、超広帯域電磁波パルスを放射できるアンテナであれば、いかなるアンテナでも使用可能であることを特徴とする。
【００２１】
また、前記受信アンテナ部の前記電場信号受信アンテナは、給電点を基準に２個の伝導性放射体が並んで設けられ、超広帯域パルス信号を受信できる双極子アンテナの形態に構成されることを特徴とする。
【００２２】
併せて、前記受信アンテナ部の前記磁場信号受信アンテナは、単一伝導性放射体が巻かれた形態に設けられ、超広帯域パルス信号を受信できるループアンテナの形態に構成されることを特徴とする。
【００２３】
さらに、前記地下物性探査システムは、前記送信アンテナを地面に設け、前記送信アンテナで放射する電磁波信号により形成される電場と磁場をそれぞれ別途の前記電場信号受信アンテナと前記磁場信号受信アンテナを通して同一の地点で受信し、理論モデリングにより得られた単一送信源（ｓｏｕｒｃｅ）による電場
0006567162.tif 000002
と磁場
0006567162.tif 000003
をそれぞれ以下の数式で示すとき、
0006567162.tif 000004
（ここで、
0006567162.tif 000005
は、理論モデリングでの単一電磁波送信源、
0006567162.tif 000006
は、理論モデリングでの地下物性特性を示すインパルス応答（Ｉｍｐｕｌｓｅ  ｒｅｓｐｏｎｓｅ）、
0006567162.tif 000007
は、理論モデリングでの電場信号受信アンテナの受信関数、
0006567162.tif 000008
は、理論モデリングでの磁場信号受信アンテナの受信関数を示す。）
前記数式を周波数領域にフーリエ変換（Ｆｏｕｒｉｅｒ  ｔｒａｎｓｆｏｒｍ）して以下の数式に変換し、
0006567162.tif 000009
以下の数式を利用して前記電場と前記磁場の比を求める処理が遂行されるように構成されることで、
0006567162.tif 000010
応答信号
0006567162.tif 000011
で送信信号
0006567162.tif 000012
が消去されることにより、測定時、前記送信信号が歪曲されても、完全波形逆算結果は影響を受けなくなり、従来のＧＰＲ技法に比べて正確度の高い逆算結果を得ることができるように構成されることを特徴とする。
【００２４】
また、前記地下物性探査システムは、空気媒質で単一送信アンテナの放射による電場信号および磁場信号をそれぞれの受信アンテナを通して前記送信アンテナと離れた同一の地点でそれぞれ測定し
0006567162.tif 000013
、空気中で電場と磁場の大きさの比率
0006567162.tif 000014
が固有インピーダンス（Ｉｎｔｒｉｎｓｉｃ  ｉｍｐｅｄａｎｃｅ）
0006567162.tif 000015
と定義されるとき、以下の数式を利用して、前記固有インピーダンスに基づいて前記受信アンテナ部のそれぞれのアンテナに受信された前記電場信号および前記磁場信号の比率を補正する補正関数（ｃａｌｉｂｒａｔｉｏｎ  ｆｕｎｃｔｉｏｎ；
0006567162.tif 000016
）を求める処理が遂行されるように構成されることで、前記送信アンテナ部および前記受信アンテナ部のそれぞれのアンテナが真空または空気中で用いられ、前記電場信号および前記磁場信号が得られた時の比率が周波数に関係なく一定の特性を有するように構成されることを特徴とする。
0006567162.tif 000017
（ここで、
0006567162.tif 000018
および
0006567162.tif 000019
は、それぞれ測定により得られた磁場信号受信機および電場信号受信機の受信関数を示す。）
併せて、前記地下物性探査システムは、空気ではなく他の媒質に対しても同様の方法で前記補正関数を求める処理が遂行されるように構成されることで、互いに異なる２種類以上の媒質に対する場合でも、前記補正関数を複合的に利用できるように構成されることを特徴とする。
【００２５】
さらに、前記地下物性探査システムは、空気中ではなく地面上に前記送信アンテナを位置させ、前記送信アンテナにより放射される電場信号および磁場信号を前記送信アンテナとは異なる地点の地面上の同一地点に位置したそれぞれの前記電場信号および前記磁場信号受信アンテナを通してそれぞれ測定する処理が遂行されるように構成されることで、従来のＧＰＲ映像に該当する電場反応に加えて、磁場反応または磁場映像に対する測定データを獲得できるように構成されることを特徴とする。
また、前記地下物性探査システムは、前記地面上に前記送信アンテナを設けて前記電場信号および磁場信号を測定時、それぞれの前記受信アンテナの特性が前記補正関数
0006567162.tif 000020
により補償されると、前記測定による受信機関数の比
0006567162.tif 000021
が消去されることにより、以下の数式を利用して、前記測定による地下媒質の物性を求める処理が遂行されるように構成されることを特徴とする。
0006567162.tif 000022
（ここで、
0006567162.tif 000023
は、測定により得られた地下媒質の物性システムを示す。）
併せて、本発明によれば、電場反射波を用いた地下映像を主に獲得し、磁場反射波を用いた地下映像の獲得は排除されてきた従来の技術の地下探査レーダー（Ｇｒｏｕｎｄ−ｐｅｎｅｔｒａｔｉｎｇ  ｒａｄａｒ、ＧＰＲ）技法の問題点を解決するための地下物性分析方法において、前記に記載の地下物性探査システムを用いて地下物性を測定して分析するように構成されることで、既存の電場反射波を用いた地下映像だけでなく、磁場反射波を用いた地下映像も獲得可能で従来のＧＰＲ技法に比べて前記地下媒質の物性をさらに正確かつ効果的に測定して分析できるように構成されることを特徴とする地下物性分析方法が提供される。
【発明の効果】
【００２６】
上述したように、本発明によれば、電場信号受信センサと磁場信号受信センサを並行して運用することにより、既存の電場反射波を用いた地下映像だけでなく、磁場反射波を用いた地下映像も獲得できるように構成される地下物性探査システムおよびそれを用いた地下物性分析方法が提供されることで、電場信号を送受信するダイポール形態のセンサが主に用いられ、磁場信号を送受信するループ、コイル形態のセンサは排除されることで電場反射波を用いた地下映像を主に獲得し、磁場反射波を用いた地下映像の獲得は相対的に排除されてきた従来の技術のＧＰＲ（Ｇｒｏｕｎｄ−ｐｅｎｅｔｒａｔｉｎｇ  ｒａｄａｒ）探査技法の問題点を解決することができる。
【００２７】
また、本発明によれば、上述したように、電場反射波を用いた地下映像を主に獲得し、磁場反射波を用いた地下映像の獲得は相対的に排除されてきた従来の技術のＧＰＲ探査技法の問題点を解決するために、地面の特定地点に位置して電磁波パルス信号を放射する送信アンテナ、および上述の放射信号により形成される電場および磁場信号をそれぞれ測定する受信アンテナ対を含んで構成される地下物性探査システムおよびそれを用いた地下物性分析方法が提供されることで、電場だけでなく磁場の地下反応を同時に測定することにより既存に比べて地下の物性をさらに正確かつ効果的に糾明することができる。
【図面の簡単な説明】
【００２８】
【図１】本発明の実施例に係る地下物性探査システムの全体的な構成を概略的に示すブロック図である。
【図２】図１に示した本発明の実施例に係る地下物性探査システムを用いて地下媒質に対する物性を測定および分析する過程を概略的に示す概念図である。
【図３】理論的なモデリングにより地下媒質に対する物性を測定および分析する過程を概略的に示す概念図である。
【発明を実施するための形態】
【００２９】
以下、添付の図面を参照して、本発明に係る地下物性探査システムおよびそれを用いた地下物性分析方法の具体的な実施例について説明する。
ここで、以下に説明する内容は、本発明を実施するための一つの実施例であるだけで、本発明は、以下に説明する実施例の内容にのみ限定されるものではないという事実に留意すべきである。
【００３０】
また、以下の本発明の実施例についての説明において、従来の技術の内容と同一または類似するか、当業者の水準で容易に理解して実施できると判断される部分に対しては、説明を簡略にするために、その詳細な説明を省略したことに留意すべきである。
即ち、本発明は、後述するように、電場信号を送受信するダイポール形態のセンサが主に用いられ、磁場信号を送受信するループ、コイル形態のセンサは排除されることで電場反射波を用いた地下映像を主に獲得し、磁場反射波を用いた地下映像の獲得は相対的に排除されてきた従来の技術のＧＰＲ（Ｇｒｏｕｎｄ−ｐｅｎｅｔｒａｔｉｎｇ  ｒａｄａｒ）探査技法の問題点を解決するために、電場信号受信センサと磁場信号受信センサを並行して運用することにより、既存の電場反射波を用いた地下映像だけでなく、磁場反射波を用いた地下映像も獲得できるように構成される地下物性探査システムおよびそれを用いた地下物性分析方法に関する。
【００３１】
併せて、本発明は、後述するように、電場反射波を用いた地下映像を主に獲得し、磁場反射波を用いた地下映像の獲得は相対的に排除されてきた従来の技術のＧＰＲ探査技法の問題点を解決するために、地面の特定地点に位置して電磁波パルス信号を放射する送信アンテナ、および上述の放射信号により形成される電場および磁場信号をそれぞれ測定する受信アンテナ対を含んで構成されることで、電場だけでなく磁場の地下反応を同時に測定することにより、既存に比べて地下の物性をさらに正確かつ効果的に糾明できるように構成される地下物性探査システムおよびそれを用いた地下物性分析方法に関する。
【００３２】
引き続き、図面を参照して、本発明に係る地下物性探査システムおよびそれを用いた地下物性分析方法の具体的な内容について説明する。
【００３３】
先ず、図１を参照すると、図１は、本発明の実施例に係る地下物性探査システムの全体的な構成を概略的に示すブロック図である。
【００３４】
図１に示したように、本発明の実施例に係る地下物性探査システム１０は、大別して、ＧＰＲ（Ｇｒｏｕｎｄ−ｐｅｎｅｔｒａｔｉｎｇ  ｒａｄａｒ）のような地下レーダー探査の原理を利用して地下物性を分析するために、地面の特定地点に位置して電磁波パルス信号を放射する少なくとも一つの送信アンテナを含んでなる送信アンテナ部１１と、上述の送信アンテナ部１１の放射信号により形成される電場および磁場信号をそれぞれ測定するための少なくとも一対の電場信号受信アンテナおよび磁場信号受信アンテナを含んでなる受信アンテナ部１２と、上述の送信アンテナ部１１と受信アンテナ部１２を通して収集された信号に基づいて地下媒質の物性に対する分析を遂行する分析部１３、および上述の送信アンテナ部１１と受信アンテナ部１２および探査システム１０の全体的な動作を制御する制御部１４を含んで構成され得る。
【００３５】
ここで、上述の受信アンテナ部１２において、電場を測定する電場信号受信アンテナは、給電点を基準に２個の伝導性放射体が並んで構成されている双極子アンテナの形態に構成され得る。
【００３６】
また、上述の受信アンテナ部１２において、電場を測定する電場信号受信アンテナは、受信信号の解像度を高めるために、アンテナアームの一部分または全体に対してインピーダンスが装荷された形態に構成され得る。
【００３７】
併せて、上述の受信アンテナ部１２において、磁場を測定する磁場信号受信アンテナは、単一伝導性放射体が巻かれたループアンテナ（Ｌｏｏｐ  ａｎｔｅｎｎａ）の形態に構成され得る。
【００３８】
さらに、上述の受信アンテナ部１２において、磁場を測定する磁場信号受信アンテナは、アンテナの単一地点に特定値または複数の区間に対して一定の値を有するインピーダンスで装荷された形態に構成され得る。
【００３９】
併せて、上述の送信アンテナ部１１において、電磁波パルス信号を放射する送信アンテナは、前記に記載のアンテナのうち一つで構成され得るが、必ずしも上述の構成にのみ限定されるものではなく、その他にも、超広帯域電磁波パルスを放射できるものであれば、いかなるアンテナでも使用可能なものであることに留意すべきである。
さらに、本発明の実施例に係る地下物性探査システム１０は、好ましくは、上述の送信アンテナ部１１および受信アンテナ部１２のそれぞれのアンテナが真空または空気中で用いられ、電場と磁場信号が得られたとき、その比率が周波数に関係なく一定の特性を有するようにするための補正関数（ｃａｌｉｂｒａｔｉｏｎ  ｆｕｎｃｔｉｏｎ）を含むように構成され得る。
【００４０】
引き続き、上述のようにして構成される本発明の実施例に係る地下物性探査システムを用いて地下媒質に対する物性を測定および分析する具体的な過程について説明する。
【００４１】
即ち、図２を参照すると、図２は、図１に示した本発明の実施例に係る地下物性探査システム１０を用いて地下媒質に対する物性を測定および分析する過程を概略的に示す概念図である。
【００４２】
また、図３を参照すると、図３は、理論的なモデリングにより地下媒質に対する物性を測定および分析する過程を概略的に示す概念図である。
【００４３】
ここで、図２において、
0006567162.tif 000024
は、測定時、送信アンテナを通して放射された送信源信号であり、
0006567162.tif 000025
は、測定時、電場信号受信アンテナの受信機関数であり、
0006567162.tif 000026
は、測定時、磁場信号受信アンテナの受信機関数であり、
0006567162.tif 000027
および
0006567162.tif 000028
は、送信源信号による電場および磁場（測定値）であり、
0006567162.tif 000029
および
0006567162.tif 000030
は、測定により獲得した地下物性システムをそれぞれ意味する。
【００４４】
併せて、図３において、
0006567162.tif 000031
は、理論モデリングでの送信源信号であってアンテナなしに直接印加され、
0006567162.tif 000032
は、理論モデリングでの電場信号受信機関数であってアンテナがないので無視され、
0006567162.tif 000033
は、理論モデリングでの磁場信号受信機関数であってアンテナがないので無視され、
0006567162.tif 000034
および
0006567162.tif 000035
は、送信源信号による電場および磁場（理論モデリング値）であり、
0006567162.tif 000036
および
0006567162.tif 000037
は、理論モデリングにより獲得した地下物性システムをそれぞれ示す。
【００４５】
さらに詳細には、図２に示したように、本発明の実施例に係る地下物性探査システム１０を用いて地下媒質に対する物性を測定および分析する過程は、先ず、送信アンテナを地面に設け、送信アンテナで放射する電磁波信号により形成される電場と磁場をそれぞれ別途の電場信号受信アンテナと磁場信号受信アンテナを通して同一の地点で受信する。
【００４６】
このとき、コンボリューション地球モデル（Ｃｏｎｖｏｌｕｔｉｏｎａｌ  ｅａｒｔｈ  ｍｏｄｅｌ）によれば、理論モデリングにより得られた単一送信源（ｓｏｕｒｃｅ）による電場と磁場
0006567162.tif 000038
は、それぞれ以下の［数１］のように示すことができる。
【数１】
0006567162.tif 000039
ここで、上述の［数１］において、
0006567162.tif 000040
は、理論モデリングでの単一電磁波送信源、
0006567162.tif 000041
は、理論モデリングでのインパルス応答（Ｉｍｐｕｌｓｅ  ｒｅｓｐｏｎｓｅ）であって地下物性システム特性を示し、
0006567162.tif 000042
は、理論モデリングでの電場信号受信アンテナの受信関数、
0006567162.tif 000043
は、理論モデリングでの磁場信号受信アンテナの受信関数である。
【００４７】
また、上述の［数１］を周波数領域にフーリエ変換（Ｆｏｕｒｉｅｒ  ｔｒａｎｓｆｏｒｍ）すると、以下の［数２］のように変換される。
【数２】
0006567162.tif 000044
従って、電場と磁場の比を求めると、以下の［数３］のようになって送信源項が消えるようになる。
【数３】
0006567162.tif 000045
ここで、逆算問題は、地球物理探査の共通した解析目標であって、地下媒質の物性分布に起因する反応を獲得し、これより未知の地下媒質物性分布を求める問題である。
【００４８】
この中で、ＧＰＲ探査資料の完全波形逆算は、測定レーダー探査資料と数値モデリングを通してシミュレーションした理論探査資料間の残差を最小化させる方向に繰り返し計算法により地下媒質の物性（電気伝導度および誘電率）を更新させていきながら地下の物性である電気伝導度と誘電率分布を糾明する技法である。
【００４９】
このような完全波形逆算アルゴリズムは、測定資料と理論モデリング資料において全体波形を比較するため、膨大な量の計算とコンピュータ資源が要求される。
【００５０】
さらに、完全波形逆算において重要な前提条件は、残差を求める理論モデリング資料と測定資料が互いに同一の送信源を使用した時の結果でなければならないという点である。
【００５１】
即ち、言い換えれば、完全波形逆算を適用するためには、地下に実際に放射される送信源の時間領域信号が知られているか、または、正確に予測できなければならない。
【００５２】
しかし、ＧＰＲ応用において、送信源である電磁波パルス信号の印加は、シミュレーションで一般的に特定ポイントでそのまま印加されるのに対し、測定では、パルス信号が送信アンテナに給電された後、アンテナで放射する形態でなされるので、送信アンテナの特性、地表面の電気的特性、そして、送信アンテナと地表面との結合状態等によってパルス信号の歪曲が不可避的である。
【００５３】
それゆえ、従来のＧＰＲ技法においては、正確な送信源波形の予測が非常に難しく、実際の測定での送信源と理論モデリングでの送信源が一致しないため、必然的に残差の信頼度が低くなる問題がある。
【００５４】
しかし、上述したように、本発明の実施例によって電場と磁場間の比率に該当するＧＰＲ応答を得た場合、上述の［数３］に示したように、送信信号
0006567162.tif 000046
が応答信号
0006567162.tif 000047
で消去されるので、測定をするとき、送信信号が送信アンテナ、地下物性、アンテナと地表面の結合状態等によって歪曲されても、完全波形逆算結果は影響を受けなくなり、正確度の高い逆算結果を得ることができるようになる。
【００５５】
このとき、理論モデリングや実際の測定のいずれの場合でも、電場と磁場信号をそれぞれ受信するとき、同一の送信源が同一の送信アンテナに印加されなければならない。
【００５６】
引き続き、上述のようにして構成される本発明の実施例に係る地下物性探査システム１０を用いた地下物性分析方法の送受信アンテナの運用について説明する。
【００５７】
先ず、空気媒質で単一送信アンテナの放射による電場信号
0006567162.tif 000048
および磁場信号
0006567162.tif 000049
をそれぞれの受信アンテナを通して送信アンテナと離れた同一の地点で測定する。
【００５８】
このとき、空気中で電場と磁場の大きさの比率
0006567162.tif 000050
は、固有インピーダンス（Ｉｎｔｒｉｎｓｉｃ  ｉｍｐｅｄａｎｃｅ）として
0006567162.tif 000051
と定義される。
【００５９】
従って、以下の［数４］に示したように、それぞれの受信アンテナに受信された電場および磁場信号の比率を補正する関数（ｃａｌｉｂｒａｔｉｏｎ  ｆｕｎｃｔｉｏｎ；
0006567162.tif 000052
と仮定）を、固有インピーダンスを利用して求めることができる。
【数４】
0006567162.tif 000053
ここで、上述の［数４］において、
0006567162.tif 000054
および
0006567162.tif 000055
は、それぞれ測定による磁場および電場信号受信機の受信関数を示す。
【００６０】
また、上述の過程で得られる補正関数（ｃａｌｉｂｒａｔｉｏｎ  ｆｕｎｃｔｉｏｎ）は、空気ではなく他の媒質（例えば、水）でも同様の方法で得ることができ、２種類以上の媒質に対する場合でも、得られた補正関数を複合的に利用することができる。
【００６１】
ここで、上述の過程は、測定時の過程であり、理論モデリングでは、送信および受信アンテナなしに電場と磁場自体が直接計算されるので、補正関数なしに空気での電場と磁場の大きさの比率
0006567162.tif 000056
がすぐに
0006567162.tif 000057
と得られるようになる。
【００６２】
併せて、上述の過程とは別に、空気中ではなく地面上に送信アンテナを位置させ、これによる電場信号
0006567162.tif 000058
および磁場信号
0006567162.tif 000059
をそれぞれの電場信号および磁場信号受信アンテナを通して送信アンテナとは異なる地点に位置した地面上の同一地点でそれぞれ測定する。
【００６３】
これより、地下の２種類の応答、即ち、電場反応（例えば、従来のＧＰＲ映像）と、本発明により可能となる磁場反応または映像の測定データを獲得することができる。
【００６４】
ここで、地面での測定時、受信アンテナの特性が上述の補正関数
0006567162.tif 000060
により補償されるならば、上述の［数３］において測定された受信機関数の比
0006567162.tif 000061
は消去されるので、結局、
0006567162.tif 000062
は、以下の［数５］に示したように、測定による地下媒質物性システムである
0006567162.tif 000063
となる。
【数５】
0006567162.tif 000064
これに対して、理論モデリングでは、送信および受信アンテナなしに電場と磁場自体が直接計算されるので、以下の［数６］に示したように、補正関数なしに理論モデリングを通して得られた
0006567162.tif 000065
がそのまま理論モデリングによる地下媒質物性システムである
0006567162.tif 000066
となる。
【数６】
0006567162.tif 000067
従って、上述のようにして得られた電場と磁場の比率の測定および理論モデリング値間の残差を最小化する方向に繰り返し計算法を遂行することにより、完全波形逆算を遂行して地下物性媒質システムを糾明することができる。
【００６５】
以上、上述のようにして、本発明に係る地下物性探査システムおよびそれを用いた地下物性分析方法を具現することができる。
【００６６】
また、上述のようにして、本発明に係る地下物性探査システムおよびそれを用いた地下物性分析方法を具現することにより、本発明によれば、電場信号受信センサと磁場信号受信センサを並行して運用することにより、既存の電場反射波を用いた地下映像だけでなく、磁場反射波を用いた地下映像も獲得できるように構成される地下物性探査システムおよびそれを用いた地下物性分析方法が提供されることで、電場信号を送受信するダイポール形態のセンサが主に用いられ、磁場信号を送受信するループ、コイル形態のセンサは排除されることで電場反射波を用いた地下映像を主に獲得し、磁場反射波を用いた地下映像の獲得は相対的に排除されてきた従来の技術のＧＰＲ（Ｇｒｏｕｎｄ−ｐｅｎｅｔｒａｔｉｎｇ  ｒａｄａｒ）探査技法の問題点を解決することができる。
【００６７】
併せて、本発明によれば、上述したように、電場反射波を用いた地下映像を主に獲得し、磁場反射波を用いた地下映像の獲得は相対的に排除されてきた従来の技術のＧＰＲ探査技法の問題点を解決するために、地面の特定地点に位置して電磁波パルス信号を放射する送信アンテナ、および上述の放射信号により形成される電場および磁場信号をそれぞれ測定する受信アンテナ対を含んで構成される地下物性探査システムおよびそれを用いた地下物性分析方法が提供されることで、電場だけでなく磁場の地下反応を同時に測定することにより既存に比べて地下の物性をさらに正確かつ効果的に糾明することができる。
【００６８】
以上、上述したような本発明の実施例を通して本発明に係る地下物性探査システムおよびそれを用いた地下物性分析方法の詳細な内容について説明したが、本発明は、上述の実施例に記載の内容にのみ限定されるものではなく、従って、本発明は、本発明の属する技術の分野における通常の知識を有する者により設計上の必要およびその他の多様な要因によって様々な修正、変更、結合および代替等が可能であることは当然であるといえる。
【符号の説明】
【００６９】
１０：地下物性探査システム
１１：送信アンテナ部
１２：受信アンテナ部
１３：分析部
１４：制御部
【図１】
0006567162.tif 000090
【図２】
0006567162.tif 000091
【図３】
0006567162.tif 000092